(57)【要約】【課題】初期アイコンの画像を変更することが制限されている携帯端末であっても、ユーザの好みに合わせたアイコンを表示することのできるコンピュータプログラム、プログラム記録媒体、及び携帯端末を提供する。【解決手段】アイコン表示プログラムは、表示部２０に表示される初期アイコンＩ０１，Ｉ０２のうちの１つが選択されることにより、選択された初期アイコンが示すアプリケーションプログラムを実行するスマートフォン１０で使用される。スマートフォン１０では、初期アイコンＩ０１，Ｉ０２の画像を変更することが制限されている。アイコン表示プログラムは、初期アイコンＩ０１，Ｉ０２に対応するアプリケーションプログラムをそれぞれ実行させる新アイコンＩ１１，Ｉ１２を、表示部２０に表示される初期アイコンＩ０１，Ｉ０２とは別に表示部２０に表示させる別表示機能と、新アイコンＩ１１，Ｉ１２の画像を設定する設定機能と、を備えている。【選択図】      図１
2013084069.tif 000002
【特許請求の範囲】
【請求項１】
表示部に表示される複数の初期アイコンのうちの１つが選択されることにより、前記選択された初期アイコンが示すアプリケーションプログラムを実行する携帯端末で使用されるコンピュータプログラムであって、
前記携帯端末では、前記初期アイコンの画像を変更することが制限されており、
前記コンピュータプログラムは、
前記複数の初期アイコンに対応するアプリケーションプログラムをそれぞれ実行させる複数の新アイコンを、前記表示部に表示される前記複数の初期アイコンとは別に前記表示部に表示させる別表示機能と、
前記複数の新アイコンの画像を設定する設定機能と、
を備えていることを特徴とするコンピュータプログラム。
【請求項２】
前記複数の新アイコンは、第１の初期アイコンが示す第１のアプリケーションプログラムを実行させる第１の新アイコンと、第２の初期アイコンが示すアプリケーションプログラムに類似する第２のアプリケーションプログラムを実行させる第２の新アイコンとを含んでおり、
前記コンピュータプログラムは、
前記第２のアプリケーションプログラムを実行する機能と、
前記第１の新アイコンが選択された場合に前記第１のアプリケーションプログラムを実行させ、前記第２の新アイコンが選択された場合に前記第２のアプリケーションプログラムを実行させるプログラム切替機能と、
を備えている請求項１に記載のコンピュータプログラム。
【請求項３】
前記複数の初期アイコンを前記表示部に表示させる状態と、前記複数の新アイコンを前記表示部に表示させる状態とを切り替える表示切替機能を備えている請求項１又は２に記載のコンピュータプログラム。
【請求項４】
請求項１〜３のいずれか1項に記載のコンピュータプログラムが記録されているプログラム記録媒体。
【請求項５】
請求項１〜３のいずれか1項に記載のコンピュータプログラムがインストールされている携帯端末。
【請求項６】
前記表示部に表示される壁紙として、前記複数の新アイコンの画像と共通する画像を含む壁紙が設定されている請求項５に記載の携帯端末。
【請求項７】
前記複数の新アイコンの画像と共通する画像を含むカバーを備えている請求項５又は６に記載の携帯端末。
【発明の詳細な説明】
【技術分野】
【０００１】
本発明は、表示部に表示されるアイコンが選択されることにより、アイコンに対応するアプリケーションプログラムを実行する携帯端末、並びにその携帯端末で使用されるコンピュータプログラム及びプログラム記録媒体に関する。
【背景技術】
【０００２】
従来、携帯端末において、アプリケーションプログラム実行時におけるメニュー項目の配置を替えることにより、ユーザ毎にユーザ好みのメニューデザインを作成するものがある（例えば、特許文献１参照）。特許文献１に記載のものでは、メニュー項目の配置を、ユーザが本当に使用するメニュー項目だけに絞ったシンプルメニューにカスタマイズしたり、使用する頻度の高いメニュー項目をユーザ好みに並び替えたりすることができる。また、特許文献１に記載のものでは、画面デザインレイアウトに関して、画面の色や文字の色、テーマといった、表示の共通設定に関する変更を行うことができる。
【先行技術文献】
【特許文献】
【０００３】
【特許文献１】特開２００７―２７４２７５
【発明の概要】
【発明が解決しようとする課題】
【０００４】
ところで、自社の製品に対してデザインの統一感を出したいなどの理由から、携帯端末の表示部に表示されるアイコンの画像を変更することが制限されている場合がある。このような場合には、そもそもアイコンの画像を変更することができず、ユーザの好みに合わせてアイコンの表示を変更することが困難となる。
【０００５】
本発明は、こうした実情に鑑みてなされたものであり、その主たる目的は、初期アイコンの画像を変更することが制限されている携帯端末であっても、ユーザの好みに合わせたアイコンを表示することのできるコンピュータプログラム、プログラム記録媒体、及び携帯端末を提供することにある。
【課題を解決するための手段】
【０００６】
本発明は、上記課題を解決するために、以下の手段を採用した。
【０００７】
第１の手段は、表示部に表示される複数の初期アイコンのうちの１つが選択されることにより、前記選択された初期アイコンが示すアプリケーションプログラムを実行する携帯端末で使用されるコンピュータプログラムであって、前記携帯端末では、前記初期アイコンの画像を変更することが制限されており、前記コンピュータプログラムは、前記複数の初期アイコンに対応するアプリケーションプログラムをそれぞれ実行させる複数の新アイコンを、前記表示部に表示される前記複数の初期アイコンとは別に前記表示部に表示させる別表示機能と、前記複数の新アイコンの画像を設定する設定機能と、を備えていることを特徴とする。
【０００８】
上記構成によれば、携帯端末では、表示部に表示される複数の初期アイコンのうちの１つが選択されることにより、選択された初期アイコンが示すアプリケーションプログラムが実行される。この携帯端末では、初期アイコンの画像を変更することが制限されているため、初期アイコンの画像をユーザの好みに合わせて変更することが困難である。
【０００９】
ここで、コンピュータプログラムは、複数の初期アイコンに対応するアプリケーションプログラムをそれぞれ実行させる複数の新アイコンを、表示部に表示される複数の初期アイコンとは別に表示部に表示させる機能を備えている。このため、初期アイコンの画像をユーザの好みに合わせて変更することはできないものの、初期アイコンに対応するアプリケーションプログラムを実行させる新アイコンを、初期アイコンとは別に表示部に表示させることができる。そして、複数の新アイコンの画像を設定することができるため、初期アイコンと同様の機能を確保しつつ、ユーザの好みに合わせたアイコンを表示することができる。
【００１０】
さらに、初期アイコンも表示部に表示可能であるため、実行するアプリケーションプログラムの種類やユーザの気分に応じて、初期アイコンを用いることもできる。
【００１１】
第２の手段では、前記複数の新アイコンは、第１の初期アイコンが示す第１のアプリケーションプログラムを実行させる第１の新アイコンと、第２の初期アイコンが示すアプリケーションプログラムに類似する第２のアプリケーションプログラムを実行させる第２の新アイコンとを含んでおり、前記コンピュータプログラムは、前記第２のアプリケーションプログラムを実行する機能と、前記第１の新アイコンが選択された場合に前記第１のアプリケーションプログラムを実行させ、前記第２の新アイコンが選択された場合に前記第２のアプリケーションプログラムを実行させるプログラム切替機能と、を備えている。
【００１２】
アプリケーションプログラムの種類によっては、初期アイコン以外のアイコンが選択されることで実行されるように構成すると、アプリケーションプログラムが正常に実行されない場合がある。
【００１３】
この点、上記構成によれば、複数の新アイコンは、第１の初期アイコンが示す第１のアプリケーションプログラムを実行させる第１の新アイコンと、第２の初期アイコンが示すアプリケーションプログラムに類似する第２のアプリケーションプログラムを実行させる第２の新アイコンとを含んでいる。このため、初期アイコン以外のアイコンの選択によっても正常に実行されるアプリケーションプログラムについては、第１の新アイコンが選択された場合に、第１の初期アイコンが示す第１のアプリケーションプログラムを実行させることができる。一方、初期アイコン以外のアイコンの選択によっては正常に実行されないアプリケーションプログラムについては、第２の新アイコンが選択された場合に、第２の初期アイコンが示すアプリケーションプログラムに類似する第２のアプリケーションプログラムを実行させることができる。
【００１４】
したがって、複数のアプリケーションプログラムが、初期アイコン以外のアイコンの選択によっては正常に実行されないアプリケーションプログラムを含む場合であっても、類似するアプリケーションプログラムを実行させることができる。その結果、新アイコンによって初期アイコンと同様又は類似の機能を確保しつつ、ユーザの好みに合わせたアイコンを表示することができる。
【００１５】
第３の手段では、前記複数の初期アイコンを前記表示部に表示させる状態と、前記複数の新アイコンを前記表示部に表示させる状態とを切り替える表示切替機能を備えている。
【００１６】
上記構成によれば、複数の初期アイコンを表示部に表示させる状態と、複数の新アイコンを表示部に表示させる状態とが切り替えられる。したがって、ユーザは、表示部に複数の新アイコンのみが表示された状態で、携帯端末を操作することができる。その結果、よりユーザの好みに合ったアイコンの表示を実現することができる。
【００１７】
第４の手段のように、第1〜第３のいずれかの手段に記載のコンピュータプログラムを、プログラム記録媒体に記録させることもできる。そして、プログラム記録媒体に記録されたプログラムを、携帯端末にインストールすることにより、上記各手段と同様の作用効果を奏することができる。
【００１８】
第５の手段は、携帯端末であって、第１〜第３のいずれかの手段に記載のコンピュータプログラムがインストールされている。
【００１９】
上記構成によれば、上記各手段と同様の作用効果を奏することができる。
【００２０】
第６の手段では、前記表示部に表示される壁紙として、前記複数の新アイコンの画像と共通する画像を含む壁紙が設定されている。
【００２１】
上記構成によれば、複数の新アイコンの画像と共通する画像を含む壁紙が、表示部に表示される。したがって、複数の新アイコンの画像と壁紙の画像とをセットにして、ユーザの好みに合った表示を実現することができる。
【００２２】
第７の手段では、前記複数の新アイコンの画像と共通する画像を含むカバーを備えている。
【００２３】
上記構成によれば、携帯端末は、複数の新アイコンの画像と共通する画像を含むカバーを備えているため、表示部に表示される新アイコンや壁紙だけではなく、カバーも含めてユーザの好みで統一することができる。
【図面の簡単な説明】
【００２４】
【図１】スマートフォンの外観を示す正面図。
【図２】スマートフォンの構成要素を示すブロック図。
【図３】アイコン表示プログラムの処理手順を示すフローチャート。
【発明を実施するための形態】
【００２５】
以下、一実施形態について、図面を参照しつつ説明する。本実施形態は、スマートフォン（多機能携帯電話）の表示部にアイコンを表示させるプログラムとして具体化している。
【００２６】
図１は、スマートフォンの外観を示す正面図である。同図において、（ａ）はアイコン表示プログラムを実行する前のスマートフォン１０を示しており、（ｂ）はカバー３０を取り付けるとともに、アイコン表示プログラムを実行した後のスマートフォン１０を示している。
【００２７】
同図に示すように、スマートフォン１０（携帯端末）は、本体１０ａ、スピーカ１５、ボタン１７ａ、及び表示部２０を備えている。（ｂ）では、スマートフォン１０は、カバー３０を備えている。
【００２８】
本体１０ａは、金属や樹脂により、矩形板状に形成されている。本体１０ａの正面には、スピーカ１５、ボタン１７ａ、及び表示部２０が設けられている。表示部２０は、液晶パネル等で形成されており、ユーザの指等が接触したことを検知するタッチパネルとなっている。カバー３０は、ポリウレタン樹脂等で形成されており、本体１０ａに貼り付けられている。
【００２９】
図２は、スマートフォン１０の構成要素を示すブロック図である。同図に示すように、スマートフォン１０は、制御部１１、無線部１２、信号処理部１３、音声処理部１４、スピーカ１５、マイクロホン１６、入力部１７、記憶部１８、表示制御部１９、及び表示部２０を備えている。
【００３０】
制御部１１は、スマートフォン１０の全体を統括的に制御する。無線部１２は、最寄りの基地局との間で無線通信を行う。信号処理部１３は、無線部１２へ出力する送信信号及び無線部１２で受信された受信信号の信号処理を行う。音声処理部１４は、受信信号や送信信号の音声処理を行う。スピーカ１５は音声を出力し、マイクロホン１６は音声を入力する。入力部１７は、上記タッチパネルとしての表示部２０及びボタン１７ａを備え、ユーザの操作を入力する。記憶部１８は、各種プログラムや電話帳データなどを記憶する。表示制御部１９は、制御部１１からの信号に基づいて表示制御を行う。表示部２０は、表示制御部１９の表示制御により各種の画像を表示する。
【００３１】
図１に戻り、表示部２０に表示される画像等について説明する。
【００３２】
まず、同図（ａ）を参照して、アイコン表示プログラム（コンピュータプログラム）を実行する前の状態について説明する。表示部２０には、背景として初期壁紙Ｗ０１が表示されている。表示部２０には、第１の初期アイコンＩ０１と、第２の初期アイコンＩ０２とが表示されている。ユーザが指等で触れることにより、これら初期アイコンＩ０１，Ｉ０２が選択されると、それぞれのアイコンが示すアプリケーションプログラム（以下、「ＡＰ」と称す）が実行される。
【００３３】
第１の初期アイコンＩ０１は、第１の初期アイコンＩ０１の代わりをする他のアイコンの選択によっても、正常に実行されるＡＰを示すアイコンである。第２の初期アイコンＩ０２は、第２の初期アイコンＩ０２の代わりをする他のアイコンの選択によっては、正常に実行されないＡＰを示すアイコンである。ここでは、電話のＡＰ、カメラのＡＰ、及びアドレス帳のＡＰのアイコンが、第２の初期アイコンＩ０２となっており、その他のＡＰのアイコンは第１の初期アイコンＩ０１となっている。
【００３４】
スマートフォン１０では、初期アイコンＩ０１，Ｉ０２の画像を変更することが制限されている。具体的には、初期アイコンＩ０１，Ｉ０２の画像を変更するＡＰの開発が契約上禁じられていたり、そのようなＡＰの販売が許可されなかったりする。なお、初期アイコンＩ０１，Ｉ０２の画像を変更することが、スマートフォン１０のハードやソフトにより制限されている場合も同様である。
【００３５】
次に、同図（ｂ）を参照して、カバー３０を取り付けるとともに、アイコン表示プログラムを実行した後の状態について説明する。アイコン表示プログラムは、インターネットを通じたダウンロードや、プログラム記録媒体からのダウンロードにより、スマートフォン１０にインストールされている。そして、アイコン表示プログラムが実行されることにより、表示部２０に表示される壁紙が新壁紙Ｗ１１に変更されるとともに、上記初期アイコンＩ０１，Ｉ０２とは別に新アイコンＩ１１，Ｉ１２が表示されている。ここでは、アイコン表示プログラムの表示切替機能により、初期アイコンＩ０１，Ｉ０２が表示部２０に表示された状態から、新アイコンＩ１１，Ｉ１２が表示部２０に表示された状態へ切り替えられている。
【００３６】
表示部２０には、第１の新アイコンＩ１１と、第２の新アイコンＩ１２とが表示されている。ユーザが指等で触れることにより、これら新アイコンＩ１１，Ｉ１２が選択されると、それぞれのアイコンに対応する第１のＡＰ，第２のＡＰが実行される。アイコン表示プログラムは、第２のＡＰを実行する機能を含んでいる。ここでは、上記第１の初期アイコンＩ０１が示すＡＰが第１のＡＰとなっており、上記第２の初期アイコンＩ０２が示すＡＰに類似するＡＰが第２のＡＰとなっている。すなわち、電話のＡＰ、カメラのＡＰ、及びアドレス帳のＡＰに対応する第２の新アイコンＩ１２が選択された場合には、第２の初期アイコンＩ０２が示すＡＰに類似する機能を有する第２のＡＰがそれぞれ実行される。その他のＡＰに対応する第１の新アイコンＩ１１が選択された場合には、第１の初期アイコンＩ０１が示す第１のＡＰがそれぞれ実行される。
【００３７】
新壁紙Ｗ１１及び新アイコンＩ１１，Ｉ１２の画像は、インターネットを通じたダウンロードや、プログラム記録媒体からのダウンロードにより、スマートフォン１０に取り込まれている。そして、新壁紙Ｗ１１は、新アイコンＩ１１，Ｉ１２の画像と共通する画像を含んでいる。詳しくは、新壁紙Ｗ１１及び新アイコンＩ１１，Ｉ１２の画像は、共に宇宙の星（恒星や惑星）の画像を含んでいる。
【００３８】
カバー３０も、新アイコンＩ１１，Ｉ１２の画像と共通する画像を含んでいる。詳しくは、新アイコンＩ１１，Ｉ１２及びカバー３０の画像は、共に宇宙の星の画像を含んでいる。
【００３９】
次に、図３のフローチャートを参照して、アイコン表示プログラムの処理手順を説明する。この一連の処理は、アイコン表示プログラムによって実行される。
【００４０】
まず、新アイコンＩ１１，Ｉ１２及び新壁紙Ｗ１１の画像データを、インターネットを通じたダウンロードや、プログラム記録媒体からのダウンロードにより、スマートフォン１０に取り込む（Ｓ１１）。具体的には、テーマやモチーフの異なる予め用意された複数のサンプルから、ユーザが好みのサンプルを選択することにより、そのサンプルのアイコン及び壁紙の画像データをダウンロードする。アイコンと壁紙とはセットでデザインされており、統一感や一体感のあるデザインとなっている。
【００４１】
新アイコンＩ１１，Ｉ１２及び新壁紙Ｗ１１の画像データをダウンロードした後（Ｓ１１）、その画像データに基づいて新アイコンＩ１１，Ｉ１２の画像を設定する（Ｓ１２）。具体的には、ダウンロードされた新アイコンＩ１１，Ｉ１２の画像データを用いて、初期アイコンＩ０１，Ｉ０２の画像と同程度の大きさの新アイコンＩ１１，Ｉ１２の画像を設定する。
【００４２】
新アイコンＩ１１，Ｉ１２の画像を設定した後（Ｓ１２）、ダウンロードされた画像データに基づいて新壁紙Ｗ１１の画像を設定する（Ｓ１３）具体的には、ダウンロードされた新壁紙Ｗ１１の画像データを用いて、初期壁紙Ｗ０１に代えて表示される新壁紙Ｗ１１の画像を設定する。そして、新壁紙Ｗ１１の画像を表示部２０に背景として表示させる。なお、スマートフォン１０が備える他のＡＰの機能により、新壁紙Ｗ１１の画像を表示部２０に背景として表示させるようにしてもよい。例えば、表示部２０に表示される壁紙を変更するＡＰの機能により、初期壁紙Ｗ０１から新壁紙Ｗ１１に変更してもよい。
【００４３】
新壁紙Ｗ１１の画像を設定した後（Ｓ１３）、新アイコンＩ１１，Ｉ１２のみを初期アイコンＩ０１，Ｉ０２とは別に表示する（Ｓ１４）。すなわち、初期アイコンＩ０１，Ｉ０２が表示部２０に表示された状態から、新アイコンＩ１１，Ｉ１２が表示部２０に表示された状態へ切り替える。具体的には、初期アイコンＩ０１，Ｉ０２が表示される領域Ｒ０１と、新アイコンＩ１１，Ｉ１２が表示される領域Ｒ１１とを区分けする。そして、領域Ｒ０１を表示部２０に表示されない領域として設定し、領域Ｒ１１を表示部２０に表示される領域として設定する。なお、ユーザは、表示部２０に表示される領域を、領域Ｒ０１と領域Ｒ１１とで切り替えることができる。
【００４４】
新アイコンＩ１１，Ｉ１２のみを初期アイコンＩ０１，Ｉ０２とは別に表示した後（Ｓ１４）、ユーザにより第１の新アイコンＩ１１が選択されたか否か判定する（Ｓ１５）。具体的には、タッチパネルとしての表示部２０において、第１の新アイコンＩ１１の画像にユーザが指等で触れたか否か判定する。
【００４５】
ユーザにより第１の新アイコンＩ１１が選択されたと判定した場合には（Ｓ１５：ＹＥＳ）、第１の初期アイコンＩ０１が示す第１のＡＰを実行させる（Ｓ１６）。具体的には、選択された第１の新アイコンＩ１１に対応する第１の初期アイコンＩ０１が選択されたことを示す信号を、第１の初期アイコンＩ０１が示す第１のＡＰに送信する。これにより、第１の初期アイコンＩ０１が選択された場合と同様に、第１のＡＰが実行される。
【００４６】
一方、上記判定において、ユーザにより第１の新アイコンＩ１１が選択されていないと判定した場合には（Ｓ１５：ＮＯ）、ユーザにより第２の新アイコンＩ１２が選択されたか否か判定する（Ｓ１７）。具体的には、タッチパネルとしての表示部２０において、第２の新アイコンＩ１２の画像にユーザが指等で触れたか否か判定する。
【００４７】
ユーザにより第２の新アイコンＩ１２が選択されたと判定した場合には（Ｓ１７：ＹＥＳ）、第２の初期アイコンＩ０２が示すＡＰに類似する第２のＡＰを実行させる（Ｓ１８）。具体的には、第２のＡＰを実行する機能を備えているため、選択された第２の新アイコンＩ１２に対応する第２のＡＰを実行する。その後、この一連の処理を終了する（ＥＮＤ）。
【００４８】
一方、上記判定において、ユーザにより第２の新アイコンＩ１２が選択されていないと判定した場合には（Ｓ１７：ＮＯ）、再びユーザにより第１の新アイコンＩ１１が選択されたか否か判定する（Ｓ１５）。
【００４９】
なお、Ｓ１２の処理が設定機能としての処理に相当し、Ｓ１４の処理が別表示機能及び表示切替機能としての処理に相当し、Ｓ１５〜Ｓ１８の処理がプログラム切替機能としての処理に相当する。
【００５０】
以上詳述した本実施形態は以下の利点を有する。
【００５１】
・アイコン表示プログラムは、初期アイコンＩ０１，Ｉ０２に対応するアプリケーションプログラム（ＡＰ）をそれぞれ実行させる新アイコンＩ１１，Ｉ１２を、表示部２０に表示される初期アイコンＩ０１，Ｉ０２とは別に表示部２０に表示させる機能を備えている。このため、初期アイコンＩ０１，Ｉ０２の画像をユーザの好みに合わせて変更することはできないものの、初期アイコンＩ０１，Ｉ０２に対応するＡＰを実行させる新アイコンＩ１１，Ｉ１２を、初期アイコンＩ０１，Ｉ０２とは別に表示部２０に表示させることができる。そして、新アイコンＩ１１，Ｉ１２の画像を設定することができるため、初期アイコンＩ０１，Ｉ０２と同様の機能を確保しつつ、ユーザの好みに合わせた新アイコンＩ１１，Ｉ１２を表示することができる。
【００５２】
・初期アイコンＩ０１，Ｉ０２も表示部２０に表示可能であるため、実行するＡＰの種類やユーザの気分に応じて、初期アイコンＩ０１，Ｉ０２を用いることもできる。
【００５３】
・新アイコンＩ１１，Ｉ１２は、第１の初期アイコンＩ０１が示す第１のＡＰを実行させる第１の新アイコンＩ１１と、第２の初期アイコンＩ０２が示すＡＰに類似する第２のＡＰを実行させる第２の新アイコンＩ１２とを含んでいる。このため、初期アイコンＩ０１以外のアイコンの選択によっても正常に実行されるＡＰについては、第１の新アイコンＩ１１が選択された場合に、第１の初期アイコンＩ０１が示す第１のＡＰを実行させることができる。一方、初期アイコンＩ０２以外のアイコンの選択によっては正常に実行されないＡＰについては、第２の新アイコンＩ１２が選択された場合に、第２の初期アイコンＩ０２が示すＡＰに類似する第２のＡＰを実行させることができる。
【００５４】
したがって、複数のＡＰが、初期アイコンＩ０２以外のアイコンの選択によっては正常に実行されないＡＰを含む場合であっても、類似する第２のＡＰを実行させることができる。その結果、新アイコンＩ１１，Ｉ１２によって初期アイコンＩ０１，Ｉ０２と同様又は類似の機能を確保しつつ、ユーザの好みに合わせた新アイコンＩ１１，Ｉ１２を表示することができる。
【００５５】
・初期アイコンＩ０１，Ｉ０２を表示部２０に表示させる状態と、新アイコンＩ１１，Ｉ１２を表示部２０に表示させる状態とが切り替えられる。したがって、ユーザは、表示部２０に新アイコンＩ１１，Ｉ１２のみが表示された状態で、スマートフォン１０を操作することができる。その結果、よりユーザの好みに合った新アイコンＩ１１，Ｉ１２の表示を実現することができる。
【００５６】
・新アイコンＩ１１，Ｉ１２の画像と共通する画像を含む新壁紙Ｗ１１が、表示部２０に表示される。したがって、新アイコンＩ１１，Ｉ１２の画像と新壁紙Ｗ１１の画像とをセットにして、ユーザの好みに合った表示を実現することができる。
【００５７】
・スマートフォン１０は、新アイコンＩ１１，Ｉ１２の画像と共通する画像を含むカバー３０を備えているため、表示部２０に表示される新アイコンＩ１１，Ｉ１２や新壁紙Ｗ１１だけではなく、カバー３０も含めてユーザの好みで統一することができる。
【００５８】
なお、本実施形態を、以下のように変形して実施することもできる。
【００５９】
・カバー３０を省略することもできる。この場合であっても、新アイコンＩ１１，Ｉ１２の画像と新壁紙Ｗ１１の画像とをセットにして、ユーザの好みに合った表示を実現することができる。
【００６０】
・初期アイコンＩ０１，Ｉ０２と新アイコンＩ１１，Ｉ１２とを、表示部２０に一緒に表示することもできる。具体的には、初期アイコンＩ０１，Ｉ０２が表示される領域Ｒ０１と、新アイコンＩ１１，Ｉ１２が表示される領域Ｒ１１とを共に、表示部２０に表示される領域として設定することもできる。
【００６１】
・スマートフォン１０が、初期アイコンＩ０１以外のアイコンの選択によっても正常に実行されるＡＰのみを備える場合には、新アイコンＩ１１のみを表示部２０に表示させるようにしてもよい。
【００６２】
・表示部２０がタッチパネルの機能を有しておらず、キー操作によりアイコンが選択される場合であっても、上記アイコン表示プログラムを適用することができる。
【００６３】
・携帯端末として、スマートフォン１０に限らず、携帯電話、ＰＤＡ（Personal Digital Assistant）等を採用することもできる。
【符号の説明】
【００６４】
１０…スマートフォン（携帯端末）、２０…表示部、３０…カバー、Ｉ０１…第１の初期アイコン、Ｉ０２…第２の初期アイコン、Ｉ１１…第１の新アイコン、Ｉ１２…第２の新アイコン、Ｗ０１…初期壁紙、Ｗ１１…新壁紙。
【図１】
2013084069.tif 000003
【図２】
2013084069.tif 000004
【図３】
2013084069.tif 000005